(57)【要約】      （修正有）【課題】植木鉢の水抜き穴を利用して、植木鉢を上下から確実に保持し、植木鉢が吊るした状態で抜け落ちることのなく、しかも植木鉢の大きさが異っても対応して使用できる植木鉢吊り具を提供する。【解決手段】上端に懸吊部１１を設けた縦杆１２と、縦杆の下端から側方に伸長する支持杆１３と、支持杆の先端に設けると共に掛け爪を有するフック部１４とで吊り具本体１を形成し、この吊り具本体の縦杆に、植木鉢の上端側を保持する保持具２を移動自在に設け、吊り具本体は線材で一体形成する。  【選択図】図１
0003192814.tif 000002
【実用新案登録請求の範囲】
【請求項１】
上端に懸吊部（１１）を設けた縦杆（１２）と、該縦杆（１２）の下端から側方に伸長する支持杆（１３）と、該支持杆（１３）の先端に設けると共に掛け爪（１４a）を有するフック部（１４）とで吊り具本体（１）を一体形成し、この吊り具本体（１）の前記縦杆（１２）に、植木鉢（３）の上端側を保持する保持具（２）を移動自在に設けたことを特徴とする植木鉢吊り具。
【請求項２】
前記支持杆（１３）には、その長さが調整可能な曲折部（１３a）を形成させた請求項１記載の植木鉢吊り具。
【請求項３】
前記吊り具本体（１）が線材から成り、且つ、前記支持杆（１３）と前記フック部（１４）の断面形状が、線材を扁平に潰して形成した板状である請求項１又は２記載の植木鉢吊り具。
【請求項４】
保持具（２）が、線材を螺旋状に巻いた環状部（２a）と、その下端から下方に突出する保持爪（２b）とから成り、それらを金属製の線材で一体形成した請求項１、２又は３記載の植木鉢吊り具。
【考案の詳細な説明】
【技術分野】
【０００１】
本考案は、植木鉢を室内や屋外に吊り下げて鑑賞する鉢吊り具に関する。
【背景技術】
【０００２】
従来、植木鉢を室内や屋外に吊り下げて植物を鑑賞するための鉢吊り具が使用されている。
例えば、植木鉢を入れた籠を紐や鎖等で吊るしたり、あるいは植木鉢の底部の水抜き穴に吊り線を通して吊り下げたりしている。
また、特許文献１のように、拡縮可能なリング形状を成し、植木鉢を挿入して支持する支持部と、該支持部から垂直方向に延び、先端に懸吊部を有するアーム部とから構成された植木鉢吊り器具が開示されている。
これらのものは、一応どれも植木鉢を室内や屋外に吊るして鑑賞できるものである。
【先行技術文献】
【特許文献】
【０００３】
【特許文献１】特開平１１−１６４７６０号公報
【考案の概要】
【考案が解決しようとする課題】
【０００４】
しかしながら、上記の一般的な鉢吊り具では、吊るした状態での植木鉢が安定せず、落下する危険性があり、植木鉢の中心を通る吊り線が邪魔になったりしていた。
他方、上記特許文献1の植木鉢吊り器具では、リング形状の支持部が拡縮可能としたことで、植木鉢の寸法がある程度異なっても植木鉢を支持できるが、それも外周に段差部がある植木鉢に限られる。
しかも支持部が拡縮可能なため、植木鉢が重い場合や風等で揺れたりした場合に、支持部が拡張して植木鉢が吊り器具から抜け落ちる虞もあり、吊るした状態での安定性に欠ける問題点を有していた。
【０００５】
本考案は、植木鉢の水抜き穴を利用して、植木鉢を上下から確実に保持し、植木鉢が吊るした状態で抜け落ちることのない植木鉢吊り具を提供することを目的する。
【０００６】
本考案の他の目的は、植木鉢の種類、大きさ等が異なっても、それらの植木鉢に対応させて使用できる植木鉢吊り具を提供するにある。
【０００７】
更に、本考案の他の目的は、全体の構造が極めてシンプルで製作コストが低減できる植木鉢吊り具を提供するにある。
【課題を解決するための手段】
【０００８】
本考案は、上記問題点に鑑み、これを解消するものであり、上端に懸吊部（１１）を設けた縦杆（１２）と、該縦杆（１２）の下端から側方に伸長する支持杆（１３）と、該支持杆（１３）の先端に設けると共に掛け爪（１４a）を有するフック部（１４）とで吊り具本体（１）を一体形成し、この吊り具本体（１）の前記縦杆（１２）に、植木鉢（３）の上端部を保持する保持具（２）を移動自在に設けたことを特徴とする。
【０００９】
前記支持杆（１３）には、その長さが調整可能な曲折部（１３a）を形成させるのがよい。
【００１０】
前記吊り具本体（１）が線材から成り、且つ、前記支持杆（１３）と前記フック部（１４）の断面形状が、線材を扁平に潰して形成した板状であるのがよい。
【００１１】
保持具（２）が、線材を螺旋状に巻いた環状部（２a）と、その下端から下方に突出する保持爪（２b）とから成り、それらを金属製の線材で一体形成するのがよい。
【考案の効果】
【００１２】
本考案では、植木鉢（３）の保持が、支持杆（１３）の先端に設けたフック部（１４）で、鉢底部（３a）内側を保持し、しかも、前記縦杆（１２）に設けた保持具（２）で、植木鉢（３）の上端部を保持し、それらが植木鉢（３）の上下を銜えた状態で保持するものであるから、吊り具から植木鉢（３）が極めて外れ難く強固に保持される。
特に、フック部（１４）がその鉢底部（３a）内側を保持するため、鉢底部（３a）と支持杆（１３）から鉢底部（３a）が離れることがない。
従って、本考案の吊り具で植木鉢（３）を吊るした状態においては、植木鉢（３）の種類や大きさ、あるいは風や地震等の揺れにも殆んど影響されず、安定した吊り状態を維持できる。
【００１３】
また、前記支持杆（１３）が伸縮自在と成す、曲折部（１３a）を形成させたので、植木鉢（３）の種類や大きさによって、植木鉢（３）の下部外周から水抜き穴（３b）の縁までの距離が異なっていても、その距離に合うように前記支持杆（１３）の長さを調整できるので、前記支持杆（１３）先端に設けたフック部（１４）が植木鉢（３）の水抜き穴（３b）から鉢底部（３a）内側に係着できる。
この際に鉢底部（３a）は、弾性の曲折部（１３a）を有する前記支持杆（１３）によって弾発的に支持され、これにより鉢底部（３a）を挟んだフック部（１４）と前記縦杆（１２）の間には隙間が生じなく、植木鉢（３）が風や地震等で揺れても、常に支持杆（１３）は鉢底部（３a）に密着して保持状態を保ち、植木鉢の下部が吊り具本体（１）から外れることもない。
【００１４】
また、本考案の吊り具は、吊り具本体（１）と保持具（２）から成り、該保持具（２）を螺旋状に巻いた環状部（２a）と、その下端から下方に突出する保持爪（２b）とから成り、それらを金属製の線材で一体形成することにより、極めてシンプルな構造となると共に、吊り具全体が同じ線材で作ることができ、製造コストが大幅に低減できる。
【図面の簡単な説明】
【００１５】
【図１】本考案の植木鉢吊り具を示す説明図である。
【図２】本考案の支持杆を示す拡大説明図である。
【図３】本考案の支持杆の曲折部を示す斜視図である。
【図４】本考案の保持具を示す斜視図である。
【図５】本考案の保持具を装着方法を示す説明図である
【考案を実施するための形態】
【００１６】
以下、本考案の実施形態につき図を基に説明する。図１に示すように、（１）は、上端に懸吊部（１１）を設けた縦杆（１２）と、該縦杆（１２）の下端から側方に伸長する支持杆（１３）と、該支持杆（１３）の先端に設けたフック部（１４）とで形成した吊り具本体である。
この吊り具本体（１）は太さが約４〜８ｍｍの金属製線材を曲折させて形成するが、植木鉢（３）の種類によっては合成樹脂製でもよく、特にはステンレスバネ鋼が錆びに強く変形しても元の形状に戻るので好ましい。
【００１７】
前記懸吊部（１１）の形状としてはフック状、ループ状であり、縦杆（１２）は下方を略垂直に伸ばし、上方に行くに従って湾曲させている。
支持杆（１３）は、図２に示すように、縦杆（１２）の下端から側方、つまり略直角に曲折させ、その先端側を曲折してフック部（１４）を形成している。この支持杆（１３）は、上方の前記懸吊部（１１）と対向させているが、必ずしも対向せずに前記懸吊部（１１）と逆向きに曲折してもよい。
また、支持杆（１３）の部分は、丸の線材を扁平に潰して形成した板状にするのが、鉢底部（３a）を支持するのに安定し、しかもフック部（１４）や後述する曲折部（１３a）等を形成するのに加工し易くなるので好ましい。
【００１８】
更に、図３に示すように、前記支持杆（１３）には、その長さが調整可能な曲折部（１３a）を形成させるとよい。この曲折部（１３a）は支持杆（１３）の一部を下方に向け、Ｖ字状に曲折させて弾性変形可能としているが、Ｖ字状以外に、例えばＵ字状、波形状等でもよい。
また曲折部（１３a）を弾性変形可能にするために、吊り具本体（１）の線材はステンレスバネ鋼を使用するとよく、更に、曲折部（１３a）の曲折させる方向は下方に限定せず横方向でもよい。
この曲折部（１３a）を設けたことにより、植木鉢（３）の種類や大きさによって、鉢低部（３a）外周から水抜き穴（３b）の縁までの距離が、支持杆（１３）の長さより長い場合でも、その距離に合うように曲折部（１３a）を伸ばして弾性変形させれば、前記支持杆（１３）の長さを容易に調整でき、前記支持杆（１３）先端に設けたフック部（１４）が鉢底部（３a）の水抜き穴（３b）から鉢底部（３a）の内側に係着できる。
【００１９】
フック部（１４）は、図２の如く、支持杆（１３）の先端側を上方に曲折し、略逆コの字状に形成したものであり、この際にフック部（１４）の先端側は、縦杆（１２）に向けて折り返して形成した掛け爪（１４a）を備え、この掛け爪（１４a）が鉢底部（３a）の内側に係着するようにしている。
この掛け爪（１４a）の役目は、植木鉢（３）の鉢底部（３a）が支持杆（１３）から離れないようにするためのものであり、この掛け爪（１４a）がないと、吊るした植木鉢（３）が揺れた際に、支持杆（１３）から離れたり、支持杆（１３）の位置が鉢底部（３a）の中央からずれて、支持杆（１３）の鉢底部（３a）に対する支持が不安定となる。
尚、支持杆（１３）及びフック部（１４）は線材をそのまま曲折して形成させてもよいが、丸い線材の場合、その断面を扁平に潰して板状に形成すると、これらと鉢底部（３a）との接触面積が増大し、植木鉢（３）が安定して取付けられる。
【００２０】
また、図４に示すように、（２）は線材を螺旋状に巻いた環状部（２a）と、その下端から下方に突出する保持爪（２b）とから成る保持具であり、その内部の穴に挿通させた縦杆（１２）に装着したものである。
そしてそれら環状部（２a）及び保持爪（２b）は金属製の線材で一体形成するのがよく、しかも保持爪（２b）は線材を潰して扁平に形成させるとよい。
【００２１】
更に、この保持具（２）について説明すると、環状部（２a）の内径は、前記の外径と同じか僅かに大きい程度であり、環状部（２a）に縦杆（１２）を挿入した状態では、縦杆（１２）に対して環状部（２a）の遊びが少なく円滑に移動できるようにしている。
保持爪（２b）は縦杆（１２）と略並行に、環状部（２a）の下端から下方に突出して形成し、その先端側を外側に少し曲折させると、植木鉢（３）に保持爪（２b）が挿入し易いので好ましい。
また、保持爪（２b）と縦杆（１２）の隙間は、植木鉢（３）上端側の厚みより僅かに狭くし、植木鉢（３）上端側に保持する際に、保持爪（２b）が弾性で広がり弾性保持するようにしている。
また、この保持具（２）は金属製の線材で一体形成すると、材料が同じ線材で作ることができる共に、溶接や接合等の工程が省け、吊り具の部品点数においても少なくできるので、製作が極めて簡単でコスト的にも有利となる。
【００２２】
また、保持具（２）おいては、それを縦杆（１２）に固定させるネジ等の固定手段が必要ないのである。即ち、上記したように、支持杆（１３）のフック部（１４）により、使用中に支持杆（１３）と鉢が離れないので、鉢の上端を保持した保持具（２）が鉢に押し上げられて上方に移動することがないからである。
従って、本考案の吊り具においては、フック部（１４）を具備したことにより、保持具（２）に対する固定手段を不要にさせている利点を有する。
【００２３】
次に、本考案の吊り具に植木鉢（３）を装着するには、先ず鉢底部（３a）の水抜き穴（３b）から挿入したフック部（１４）を鉢底部（３a）の内側に係着させるが、その際に鉢底部（３a）と支持杆（１３）が並行状態では、フック部（１４）の掛け爪（１４a）が邪魔になり、フック部（１４）を掛着させることが出来ない。
そこで、図５に示すように、吊り具本体（１）を斜めに傾斜させて鉢底部（３a）の水抜き穴（３b）にフック部（１４）を挿入させ、そのフック部（１４）を鉢底部（３a）の内側に掛着させた後、斜めに傾いた吊り具本体（１）を矢印のように起して縦杆（１２）を植木鉢（３）の外側に当接させれば、植木鉢（３）の下部が吊り具本体（１）にセットされる。次いで、上方に位置する保持具（２）を降下させ、植木鉢（３）の上部を保持具（２）で保持させる。
また、前記支持杆（１３）の長さが調整可能な曲折部（１３a）を有する吊り具においては、前記したようにフック部（１４）を鉢底部（３a）の内側に掛着させた後、縦杆（１２）を引っ張り、曲折部（１３a）を伸ばしながら、縦杆（１２）を植木鉢（３）の外側に当接させれば大きな植木鉢（３）でも自由にセットされ汎用性を有する。
【００２４】
このように、本考案では、植木鉢（３）を保持するのに、フック部（１４）と保持具（２）との両方を有し、特にフック部（１４）には掛け爪（１４a）を具備し、鉢底部（３a）の水抜き穴（３b）から、鉢底部（３a）の内側に掛け爪（１４a）が係着して、植木鉢（３）の下部を保持した点が最大の特徴である。
これにより、本考案の植木鉢吊り具は、フック部（１４）の掛け爪（１４a）で、鉢底部（３a）の内側をクリップすると共に、植木鉢（３）の上部は保持具（２）で挟持して、植木鉢（３）の上下を同時に保持できるため、風や地震等で植木鉢（３）が揺れたり、あるいは植木鉢（３）の重さに対しても、植木鉢（３）が吊り具本体（１）から外れることがないのである。
【符号の説明】
【００２５】
１  吊り具本体
１１  懸吊部
１２  縦杆
１３  支持杆
１３a  曲折部
１４  フック部
２  保持具
２a  環状部
２b  保持爪
３  植木鉢
３a  鉢底部
３b  水抜き穴
【図１】
0003192814.tif 000003
【図２】
0003192814.tif 000004
【図３】
0003192814.tif 000005
【図４】
0003192814.tif 000006
【図５】
0003192814.tif 000007